(57)【要約】【課題】例えば、プリント基板の基板対基板の電気接続用に使用される電気コネクタに関し、コンタクト摺接部においてクリック感やロック作用が得られるようにすることが課題である。【解決手段】コンタクト２，３をインサート成形により絶縁ハウジング１２に一体にして形成された電気コネクタ１において、前記コンタクトの相手方コンタクトと摺接して電気的接続を図る摺接面２ａ，３ａに、当該摺接面における短手方向の側方壁面に開口させない凹部２ｂ，３ｂを設けた電気コネクタ１とする。【選択図】　図１
2004103354.tif 000002
【特許請求の範囲】
【請求項１】
コンタクトをインサート成形により絶縁ハウジングに一体にして形成された電気コネクタにおいて、前記コンタクトの相手方コンタクトと摺接して電気的接続を図る摺接面に、当該摺接面における短手方向の側方壁面に開口させない凹部を設けたこと、
を特徴とする電気コネクタ。
【発明の詳細な説明】
【０００１】
【発明の属する技術分野】
本発明は、プリント基板の基板対基板の電気接続用に使用される電気コネクタに関する。
【０００２】
【従来の技術】
従来において、基板対基板接続用コネクタ（スタッキングコネクタと称される）におけるプラグ側の雄型コネクタ１０は、図４（Ａ）に示すように、リード部が長短ある２種類の雄型コンタクト１１を対向配置にしてそれを複数個併設し、インサート成形して絶縁ハウジング１２に一体成形して、形成されている。
【０００３】
そして、図５に示すように、プリント基板１３に実装されたソケット側の雌型コネクタ１４に対して、プリント基板１６に実装された前記雄型コネクタ１０を嵌合させて、前記雄型コンタクト１１と、前記雌型コネクタ１４の雌型コンタクト１５とを摺接させて、電気的接続を図っている（例えば、特許文献１参照。）。
【０００４】
【特許文献１】
特開２０００−３５３５５７号公報（第２頁、第３図）
【０００５】
【発明が解決しようとする課題】
かかる前記雄型コンタクト１１に、例えば、図６（Ａ），（Ｂ）に示すように、凹部１１ａを設けて、前記雌型コンタクト１５の接触端部１５ａが入り込んで、その部分で、クリック感を得て、且つ、簡易的なロック作用を得ることが考えられる。しかしながら、同図（Ｃ）に示すように、インサート成形する際に、例えば、移動金型１７が配設されても、前記凹部１１ａが左右側方に達しているので、その側方の開口部分を塞ぐことができず、その側方の開口部分から溶融樹脂が当該凹部１１ａに入り込んでしまうことになる。本発明に係る電気コネクタはこのような課題を解決するために提案されたものである。
【０００６】
【課題を解決するための手段】
上記課題を解決するために、本発明に係る電気コネクタの要旨は、コンタクトをインサート成形により絶縁ハウジングに一体にして形成された電気コネクタにおいて、前記コンタクトの相手方コンタクトと摺接して電気的接続を図る摺接面に、当該摺接面における短手方向の側方壁面に開口させない凹部を設けたことである。
【０００７】
本発明に係る電気コネクタによれば、コンタクトの摺接面に設けられる凹部が、短手方向の側方壁面にまで至って開口させてないことから、この開口部分から溶融樹脂が入り込むことがない。よって、相手方コンタクトとの嵌合作用において、クリック感、及び、簡易的なロック作用が得られる。
【０００８】
【発明の実施の形態】
次に、本発明に係る電気コネクタ１について、図面を参照して説明する。なお、従来例に対応する部分には、理解を容易にするため従来例と同一の符号を付けて説明する。電気コネクタ１は、図１に示すように、全体が細長く、凸部を有した雄型の絶縁ハウジング１２と、図２に示すように、前記凸部には相手方コネクタとの嵌合用の凹部１２ａが設けられて、該凹部１２ａに相手方コンタクトと摺接する摺接面２ａ，３ａを露出させ対向配置にして前記絶縁ハウジング１２の長手方向に沿って互い違いにして併設された複数個の、雄型でリード部の長いコンタクト２と短いコンタクト３と、で構成されている。
【０００９】
前記コンタクト２，３は、前記絶縁ハウジング１２にインサート成形によって一体成形されるものである。そして、図３に示すように、コンタクト２の相手方のコンタクト１５の接触端部１５ａ（図４（Ｂ）参照）が嵌合時に摺接する摺接面２ａには、凹部２ｂが設けられている。
【００１０】
前記凹部２ｂは、前記摺接面２ａにおける短手方向の側方壁面２ｃ，２ｄに開口させない凹部である。その凹部の形状は、図３（Ｃ），（Ｄ）に示すように、、コ字型若しくは半円弧状型等である。
【００１１】
また、前記凹部２ｂのコンタクト長手方向の長さは任意の設定事項である。コンタクト２で凹部２ｂを説明したが、同様に、リードの短いコンタクト３においても凹部３ｂが設けられているものである。
【００１２】
このように、雄型のコンタクト２，３に、クリック用およびロック用の凹部２ｂ，３ｂを設けて、金型にセットすれば、図３（Ｅ）に示すように、例えば、移動金型１７がセットされると、前記凹部２ｂ，３ｂが完全に塞がれた状態となる。よって、金型内に溶融樹脂が射出されても、前記凹部２ｂ，３ｂの中に、浸入することがない。
【００１３】
こうして一体成形された電気コネクタ１をプリント基板１６（図５参照）に実装し、プリント基板１３に実装された相手方の雌型コネクタ１４（同図参照）と嵌合させる。
【００１４】
前記雌型コネクタ１４の雌型コンタクト１５における接触端部１５ａが、前記コネクタ２，３の摺接面２ａ，３ａに弾性的に押しつけられながら摺接し、凹部２ｂ，３ｂに至って弾性的に付勢されて落ち込む。この際に、クリック感が得られると共に、簡易的にロックされるものである。
【００１５】
【発明の効果】
上記説明したように、本発明に係る電気コネクタは、コンタクトをインサート成形により絶縁ハウジングに一体にして形成された電気コネクタにおいて、前記コンタクトの相手方コンタクトと摺接して電気的接続を図る摺接面に、当該摺接面における短手方向の側方壁面に開口させない凹部を設けたので、インサート成形の際に、当該凹部が完全に塞がれて溶融樹脂の浸入が防止されると言う優れた効果を奏するものである。よって、雄型コンタクトと雌型コンタクトとの嵌合において、クリック感が得られ、及び、簡易的なロック作用が得られるという効果がある。
【図面の簡単な説明】
【図１】本発明に係る電気コネクタ１の平面図（Ａ）、正面図（Ｂ）、側面図（Ｃ）である。
【図２】同図１における、Ｘ−Ｘ線に沿った断面図（Ａ）、Ｙ−Ｙ線に沿った断面図（Ｂ）である。
【図３】同電気コネクタ１における、コンタクト２の凹部２ｂを示す一部拡大詳細図８Ａ）、同拡大断面図（Ｂ）、同図（Ａ）におけるＺ−Ｚ線に沿った断面図（Ｃ），（Ｄ）、金型にセットした状態の一部拡大正面図（Ｅ）である。
【図４】従来例に係る雄型コネクタ１０の断面図（Ａ）、同一部拡大断面図（Ｂ）である。
【図５】同基板対基板接続用コネクタの接続状態を示す断面図である。図である。
【図６】同基板対基板接続用コネクタにおけるコンタクト１１に凹部１１ａを設ける場合の正面図（Ａ）、側方断面図（Ｂ）、金型にセットした状態の一部拡大断面図（Ｃ）である。
【符号の説明】
１　　　　　電気コネクタ、　　　２，３　　　　雄型のコンタクト、
２ａ，３ａ　摺接面、　　　　　　２ｂ，３ｂ　　凹部、
２ｃ，２ｄ　側方壁面、
１０　　　　雄型コネクタ、　　　１１　　　　　雄型コンタクト、
１２　　　　絶縁ハウジング、　　１２ａ　　　　凹部、
１３　　　　プリント基板、　　　１４　　　　　雌型コネクタ、
１５　　　　雌型コンタクト、　　１５ｂ　　　　接触端部、
１６　プリント基板、　　　　　　１７　　　　　移動金型。
【図１】
2004103354.tif 000003
【図２】
2004103354.tif 000004
【図３】
2004103354.tif 000005
【図４】
2004103354.tif 000006
【図５】
2004103354.tif 000007
【図６】
2004103354.tif 000008